(57)【特許請求の範囲】
【請求項１】
耐圧性の容器本体、その容器本体に収容した第１原液およびプロペラント、前記容器本体に取り付けた、復帰バネで常時閉側に付勢されている第１エヤゾールバルブ、およびその第１エヤゾールバルブの出口から噴出口まで導く通路を備えている第１エヤゾール装置と、
耐圧性の容器本体、その容器本体に収容した第２原液およびプロペラント、前記容器本体に取り付けた、復帰バネで常時閉側に付勢されている第２エヤゾールバルブ、およびその第２エヤゾールバルブの出口から噴出口まで導く通路を備えている第２エヤゾール装置と、
前記第１エヤゾールバルブと第２エヤゾールバルブとを同時に操作するための単一の操作手段と、
第１エヤゾールバルブからの吐出量と第２エヤゾールバルブからの吐出量とをバランスさせる手段とを備えており、
前記バランスさせる手段が、操作力を加えていくとき、はじめは操作力の増加に応じて比例的に操作量を増加させ、途中から操作力を増加しても操作量があまり増えず、ついで再び操作量が増大していくように非線形に変化させると共に、前記の再び操作量が増大していく途中で両方のエヤゾールバルブを開き、それにより操作者に対し、操作手段の操作力が、各エヤゾールバルブの開弁度に差が生ずる微少な操作力の範囲を通過して、適切な開弁量をもたらす強い操作レベルまで一気に至るように慫慂する手段を備えている
複数吐出エヤゾール装置。
【請求項２】
第１エヤゾール装置の通路と第２エヤゾール装置の通路が途中から共通の通路として結合されており、その共通の通路の先端に第１原液と第２原液を一緒に噴出する共通の噴出口が設けられている請求項１記載の複数吐出エヤゾール装置。
【請求項３】
前記バランスさせる手段が、通路ないし噴出口を常時閉じておき、操作手段の操作量が所定のレベルになったときに初めて噴出口を開く開閉機構をさらに備えている請求項１または２記載の複数吐出エヤゾール装置。
【請求項４】
前記バランスさせる手段が、通路ないし噴出口を常時閉じておき、通路内の圧力が所定のレベルになったときに初めて開く開閉バルブをさらに備えている請求項１または２記載の複数吐出エヤゾール装置。
【請求項５】
前記慫慂する手段が、両方のエヤゾールバルブの押しボタンを連結する連結部材と、その連結部材を押し下げる共通の操作部材と、両者の間に介在される伝達機構とからなり、
その伝達機構が、前記操作部材に操作力を加えていくとき、はじめの段階では入力側と出力側の関係を一定にしておき、つぎの段階では操作力を増加しても操作量があまり増えない倍力作用を奏し、さらにつぎの段階で、操作量が急激に増大する増速作用を作用させる機構を備えている請求項１記載の複数吐出エヤゾール装置。
【請求項６】
前記慫慂する手段が、両方のエヤゾールバルブの押しボタンを連結する連結部材と、その連結部材を押し下げる共通の操作部材と、両者の間に介在される伝達機構とからなり、
その伝達機構が、はじめの段階では入力側と出力側の関係を一定にしておき、つぎの段階では操作力を増加させる追加の負荷を与え、さらにつぎの段階で、操作量が急激に増大する増速作用を作用させる機構を備えている請求項１記載の複数吐出エヤゾール装置。
【請求項７】
前記伝達機構が、入力と出力とを非線形に変化させるリンク機構ないしカム機構を備えている請求項５または６記載の複数吐出エヤゾール装置。
【発明の詳細な説明】
【０００１】
【発明の属する技術分野】
本発明は複数吐出エヤゾール装置に関する。さらに詳しくは、２種類以上の原液を分離して保存しておき、それらを同時に噴出させて混合しながら使用する複数吐出エヤゾール装置に関する。
【０００２】
【従来の技術】
従来よりポリオールを含む第１液とイソシアネートを含む第２液とを別個のエヤゾール装置に充填し、各エヤゾール装置のエヤゾールバルブ出口に接続した導管を、共通の混合管に連通した２液型ウレタンフォーム製造装置が提案されている（特開昭５８−１６８３２号公報参照）。このものはそれぞれのエヤゾール装置の押しボタンを押してバルブを開くと、共通の通路内で両者が一緒になり、混在ないし混合状態で噴出口から噴出する。
【０００３】
【発明が解決しようとする課題】
前記従来の２液型エヤゾール装置は、それぞれのエヤゾール装置を左右の手に持ち、それぞれの押しボタンを操作する必要がある。そのため両手が塞がり、たとえば櫛などに２液式の染毛剤を吐出する場合はきわめて不便である。また、両方の押しボタンの操作量を調節することができるので、第１液と第２液の混合比を微妙に調節することが可能であるが、その半面、不注意などにより一方の押しボタンだけを強く押すと、第１液あるいは第２液だけが噴出してしまい、無駄になる。本発明は片手で操作することができ、しかもそれほど気を使わなくても２液を同時に噴出させることができる複数吐出エヤゾール装置を提供することを技術課題としている。
【０００４】
【課題を解決するための手段】
本発明の複数吐出エヤゾール装置は、耐圧性の容器本体、その容器本体に収容した第１原液およびプロペラント、前記容器本体に取り付けた、復帰バネで常時閉側に付勢されている第１エヤゾールバルブ、およびその第１エヤゾールバルブの出口から噴出口まで導く通路を備えている第１エヤゾール装置と、耐圧性の容器本体、その容器本体に収容した第２原液およびプロペラント、前記容器本体に取り付けた、復帰バネで常時閉側に付勢されている第２エヤゾールバルブ、およびその第２エヤゾールバルブの出口から噴出口まで導く通路を備えている第２エヤゾール装置と、前記第１エヤゾールバルブと第２エヤゾールバルブとを同時に操作するための単一の操作手段と、第１エヤゾールバルブからの吐出量と第２エヤゾールバルブからの吐出量とをバランスさせる手段とを備えており、前記バランスさせる手段が、操作力を加えていくとき、はじめは操作力の増加に応じて比例的に操作量を増加させ、途中から操作力を増加しても操作量があまり増えず、ついで再び操作量が増大していくように非線形に変化させると共に、前記の再び操作量が増大していく途中で両方のエヤゾールバルブを開き、それにより操作者に対し、操作手段の操作力が、各エヤゾールバルブの開弁度に差が生ずる微少な操作力の範囲を通過して、適切な開弁量をもたらす強い操作レベルまで一気に至るように慫慂する手段を備えていることを特徴としている。
【０００５】
このような複数吐出エヤゾール装置においては、第１エヤゾール装置の通路と第２エヤゾール装置の通路とを途中から共通の通路に結合し、その共通の通路の先端に第１原液と第２原液を一緒に噴出する共通の噴出口を設けるようにしてもよい。
【０００６】
前記バランスさせる手段は、通路ないし噴出口を常時閉じておき、操作手段の操作量が所定のレベルになったときに初めて開く開閉機構をさらに備えていてもよい。また、バランスさせる手段は、通路ないし噴出口を常時閉じておき、エヤゾールバルブ側の圧力が所定のレベルになったときに初めて開く開閉機構を備えていてもよい。
【０００７】
前記非線形に変化させる手段としては、たとえばカム機構やリンク機構とすることができる。
【０００８】
【作用および発明の効果】
本発明の装置においては、操作手段を操作すると、第１エヤゾール装置に設けた第１バルブと第２エヤゾール装置に設けた第２バルブとが同時に開き、２液を噴出させることができる。すなわち本発明の装置では、操作手段が単一であるので、片手で操作手段を操作しながら噴出物を櫛などで受けるといった作業が簡単である。また、単一の操作手段で第１バルブと第２バルブを操作すると、操作状態によっては片方の原液の噴出量だけが多くなることがある。
第１バルブからの吐出量と第２バルブからの吐出量のバランスが崩れて片方からの吐出量だけが多くなる理由は種々考えられる。本発明者の調査によれば、エヤゾールバルブの操作量とバルブの開度との関係が、エヤゾールバルブによってバラツキがあり、そのためゆっくりと開いていくときに片方のバルブだけが先に開き、操作する者がそこで操作をやめることが最大の原因であることが分かった。したがって使用者が両方のエヤゾールバルブが開くまで操作をやめないようにすればよい。
本発明の装置では、バランスさせる手段として、一気に操作手段を操作することを慫慂する手段を設けたので、操作をする者は途中で操作を止めない。そのため操作の途中で片方のみが先に開くことを防ぐことができ、第１原液と第２原液の吐出量をバランスさせることができる。それにより、片方の原液だけ噴出量が多くなる問題を回避し、片手で操作しうる複数吐出エヤゾール装置を実用化したのである。
また前述の慫慂手段として、操作力を加えていくとき、はじめは操作力の増加に応じて比例的に操作量を増加させ、途中から操作力を増加しても操作量があまり増えず、ついで再び操作量が増大していくように非線形に変化させる手段を採用したので、バルブが開く前に操作力がかなり大きくなり、大きい力で一気に両方のバルブを開くことができる。そのため片方のバルブだけが先に開くことが避けられる。
【０００９】
各エヤゾールバルブに連通する通路がそれぞれの開口端を有する場合は、吐出させた第１原液と第２原液とを櫛などの対象物や他の容器で受けて、その対象物上や容器内で混合することができる。他方、通路の途中から共通の通路として結合し、その共通の通路の先端に共通の噴出口を設ける場合は、共通の通路内で２液が自然と混合される。また充分に混合されなくても、混在状態であるので、噴出させてからの混合作業が容易になる。
【００１０】
バランスさせる手段が、通路ないし噴出口を常時閉じておき、操作手段の操作量が所定のレベルになったときに初めて噴出口を開く開閉機構を備えている場合は、かりに一方のエヤゾールバルブだけが先に開いても、原液が噴出しない。そのため使用者はさらに操作手段を操作し続ける。そして操作量が所定のレベルを超えて他方のエヤゾールバルブも開いたとき、初めて通路ないし噴出口が開き、両方の原液が一緒に吐出する。それにより両者のバランスを一層確実に確保することができる。
【００１１】
バランスさせる手段が、エヤゾールバルブ側の圧力により開く開閉機構を備えている場合は、両方のバルブが充分に開いて通路内の圧力が所定のレベルを超えるまでいずれの原液も噴射されない。そして両方の所定のレベルを超えたとき、両方の原液が一緒に噴出される。それにより片方の原液だけが噴射される事態を一層確実に回避することができる。
【００１４】
【００１６】
【発明の実施の形態】
つぎに図面を参照しながら本発明の複数吐出エヤゾール装置の実施の形態を説明する。図１は本発明を適用できる複数吐出エヤゾール装置（以下、単に装置という）の一例を示す要部断面正面図、図２はその装置に用いるエヤゾールバルブの一実施形態を示す断面図、図３は図１の装置の組立前の状態を示す斜視図、図４は図１の要部拡大断面図、図５は本発明を適用できる複数吐出エヤゾール装置の他の例を示す要部断面側面図、図６は本発明外の複数吐出エヤゾール装置の例を示す、要部を回路図とした正面図、図７は本発明を適用できる複数吐出エヤゾール装置のさらに他の例を示す、要部を回路図とした正面図、図８は本発明の装置の一実施形態に関わる操作力と操作量の非線形の関係を示すグラフである。
【００１７】
図１の装置Ａは、それぞれ容器本体１およびエヤゾールバルブ２を備えた第１および第２エヤゾール装置Ａ１およびＡ２と、それらの上端近辺を互いに連結する連結部材３と、両方のエヤゾールバルブ２を同時に操作するための操作機構４とを備えている。さらにこの装置Ａは、噴射量をバランスさせる手段として、一気に操作手段を操作することを慫慂する手段を設ける。慫慂手段については後述する。操作機構４は、それぞれのエヤゾールバルブ２、２のステム５に嵌着した押しボタン６、それらの押しボタン６を押し操作するためのカバー兼用の操作部材７などから構成されている。それぞれのエヤゾール装置の容器本体１は従来公知の有底筒状の金属製の耐圧容器であり、筒状の胴部８およびその下端を閉じる底部９を有する。
【００１８】
図２に示すように、胴部８の上端にはテーパ状の肩部１０を介していくらか細くした首部１１が設けられている。首部１１の内部にはカップ状のマウンティングカップ１２が挿入され、首部１１の外側に金属板製の嵌着部材１３が被せられ、外側からクリンプされている。前記エヤゾールバルブ２はそのマウンティングカップ１２に取り付けられて首部１１内に収容されている。ここで用いるエヤゾールバルブ２は、たとえばハウジング１４と、そのハウジングの内部に上下移動自在に収容された前記ステム５と、そのステム５を常時上向きに付勢するバネ１５と、ステム５に設けた小孔１６を開閉するためのバルブラバー１７とを備えたものである。なお図２の実施形態では、ハウジング１４の上端とマウンティングカップ１２の間にバルブラバー１７を挟み込んでいるが、マウンティングカップ１２とハウジング１４とを一体化し、マウンティングカップ１２と嵌着部材１３のバルブラバー１７を挟み込む従来公知のものも使用しうる。また容器本体１の内部に内壁を保護するための合成樹脂製の内袋を収容し、マウンティングカップ１２と一緒に容器本体１にクリンプしてもよい。
【００１９】
第１エヤゾール装置Ａ１および第２エヤゾール装置Ａ２のそれぞれの容器本体１内には、たとえば酸化染毛剤となる第１液および第２液を充填しており、頭髪に塗布する直前に混合して発色するように、それらの２液を第１エヤゾール装置の容器本体と第２エヤゾール装置の容器本体に互いに分離して充填している。第１液としては、たとえば酸化染料、アルカリ剤、界面活性剤などを配合したものが用いられ、第２液としては、その酸化染料を酸化するための酸化剤を含有するものがあげられる。また、前述の２液混合ウレタン発泡樹脂などを充填することもできる。それらの原液は、液化ガスや圧縮ガスなどの従来公知のプロペラントと共に充填する。
【００２０】
前記連結部材３は図３に示すように、各容器本体１、１の首部１１の下端と嵌合する切り欠き穴２０を備えた合成樹脂製の板材などで構成することができる。なお、容器本体１の底部５同士を連結するキャップ状の部材を一緒に採用することもできる。さらに両方の容器本体１の胴部４同士を締結するバンドなどであってもよい。
【００２１】
図１に戻って、前記押しボタン６、６の側面には、互いに向き合うように吐出用の筒状突起２１、２１が突出している。それらの筒状突起２１、２１は、両方の押しボタン６、６の間に介在される横部材２２の左右端にそれぞれ嵌合固着されており、ステム５、５の内孔同士は横部材２２に設けた連通通路２３によって互いに連通している。さらに横部材２２の中心部から上向きにニードル２４が上向きに延びており、そのニードル２４の中心に形成した共通通路２５の下端は連通通路２３の中心部と連通している。それによって連通通路２３と共通通路２５とは逆Ｔ字状に結合されている。
【００２２】
図４に示すように、ニードル２４の上端は塞がっており、上端からいくらか下側に、浅い環状溝２６が設けられている。その環状溝２６の底面に、共通通路２５と外部を連通する横孔２７が形成されている。さらにその環状溝２６には、通常時に横孔２７を閉じるリング状のリングラバー２８が密着するように被せられている。なおキャップ状のキャップラバーとしてもよい。さらに本実施形態では、上端に噴出口２９を有する筒状のスパウト部３０と、押しボタン６、６を押すための操作段部３１とを一体にしたカバー兼用の操作部材７が、第１および第２エヤゾール装置Ａ１、Ａ２の上端に被せられている。それらの環状溝２６、横孔２７、リングラバー２８、および操作段部３１は、スパウトの開閉機構を構成している。
【００２３】
スパウト部３０の内面は、ニードル２４の上端近辺と摺動自在に嵌合している。またスパウト部３０の上端内面には、リングラバー２８の上端と係合する係合段部３３が設けられている。前記操作段部３１は直方体ないし楕円柱状の形態を備えており、その上面の中心部から前記スパウト部３０が上向きに突出している。また図１に示すように、押しボタン６、６と操作段部３１の内面との間には、それぞれバネ３２、３２が介在している。
【００２４】
さらに操作段部３１の周囲には、図１に示すように、両方のエヤゾール装置Ａ１、Ａ２の上部を覆う楕円柱状のスカート部３４が設けられている。スカート部３４はマウンティングカップ１２に対して上下に摺動自在である。しかし操作部２１をスカート部３４から分離したり、あるいは両者の間の平坦部３５などを撓み変形自在に構成する場合は、スカート部３４をマウンティングカップ１２ないし首部に対し、外側から嵌着固定することができる。その場合はスカート部３４が連結部材を兼ねるので、図２のような独立した連結部材３が不要である。
【００２５】
上記のごとく構成される複数吐出エヤゾール装置Ａは、操作部材７を下向きに押し下げると、まずそれぞれのエヤゾール装置Ａ１、Ａ２の押しボタン６、６およびステムがエヤゾールバルブ２、２のバネ１５の付勢力に抗して押し下げられる。それにより、容器本体１の内容物が筒状突起２１から連通通路２３内に噴出される。しかし、そのときはまだスパウト部３０がニードル２４に対して相対的に下がっていないので、スパウト部３０の横孔２７はリングラバー２８によって塞がれている。したがって両方の容器本体１から噴出された内容物は、連通通路２３および共通通路２５内で充分に混合される。
【００２６】
さらに操作部材７を押し下げて、エヤゾールバルブ２のバネ１５の付勢力が大きくなったとき、あるいはバネ１５またはステム５が底突きしたときは、ニードル２４がそれ以上、下降しなくなる。そのため操作段部３１と押しボタン６、６の間のバネ３２、３２が縮み始め、スパウト部３０がニードル２４に対して下降し、スパウト部３０の係合突起３３がリングラバー２８を弾性変形させて横孔２７が開放される。それにより上記の混合物が噴出口２９から外部に噴出する。
【００２７】
上記のようにこの装置Ａでは、操作部材７の操作量が所定のレベルを超えるまで、すなわち両方のエヤゾールバルブ２、２が充分に開くまで、スパウト部３０の開閉機構により外部への噴出が抑制される。したがって片方の原液だけが先に噴出するといった無駄が防止される。
【００２８】
図５はピストル型の操作機構４を備えている複数吐出エヤゾール装置Ｂを示している。このものは容器本体１、１に連結部材を兼ねる固定キャップ３５を嵌合固定し、その固定キャップ３５の上部側面からニードル３６を突出させ、その軸棒にスパウト３７を摺動自在に嵌着している。ニードル３６およびスパウト３７は図３のニードル２４およびスパウト部３０とほぼ同様のものである。ただしスパウト３７の係合段部３３とニードル２４の周囲に被せたリングラバー２８との間にはいくらか遊び３８を設けている。さらにスパウト３７の後端に、下方に延びるトリガー３９を設けている。ニードル３６には混合された液が通る共通通路４０が設けられている。その共通通路４０は固定キャップ３５の天板４１内に達しており、天板４１の中央部で内面側に開口している。
【００２９】
さらにこの装置Ｂでは、両方のエヤゾール装置Ａ１、Ａ２の押しボタン６、６に取り付けた横部材２２に回動リンク４２の下端が回動自在に連結されている。他方、トリガー３９から後方に、摺動リンク４３が延びており、その摺動リンク４３の後端が回動リンク４２の上端に回動自在に連結されている。横部材２２には各押しボタン６、６と連通する一対のＬ字状の通路４４が形成され、それらの通路４４は横部材２２の上面に開口している。そしてそれらの通路４４と前記固定キャップの天板の中央の共通通路４０とは、横部材２２の上下動を妨げないようにそれぞれ可撓性のチューブ４５、４５で連結している。
【００３０】
上記のごとく構成される複数吐出エヤゾール装置Ｂは、容器本体１、１の上部を握り、トリガー３９を引くと、摺動リンク４３が後方に押され、回動リンク４２が時計方向に回動し、その働きで横部材２２が下がる。それにより容器本体１内のエヤゾールバルブが開放される。そのときスパウト３７の係合段部３３とリングラバー２８との間にいくらか遊び３８があるので、スパウト３７の横孔はただちには開放されない。そのため両方のエヤゾール装置Ａ１、Ａ２から吐出された２液がＬ字状の通路４４、チューブ４５および共通通路４０内に充満し、共通通路４０内で混在ないし混合される。ついでさらにトリガー３９を引くと、スパウト３７の横孔が開き、混合された内容物が外部に放出される。このように図５の複数吐出エヤゾール装置Ｂにおいても、操作部材であるスパウト３７の操作量が所定のレベルを超えるまで、すなわち両方のエヤゾールバルブが充分に開くまで、外部への噴出が抑制される。そのため片方の原液だけが先に噴出するといった無駄が防止される。
【００３１】
２液を噴出させた後、トリガー３９を離すと、エヤゾールバルブのバネの付勢力で横部材２２が上昇する。それにより回動リンク４２が反時計方向に回動し、摺動リンク４３を先端側に押す。そのため最初の状態に戻る。なお回動リンク４２は上下方向にまっすぐになると、あるいはさらに時計方向に回動すると、ロック状態となり、横部材２２の上昇によって回動リンク４２を反時計方向に回動させることができなくなる。したがってそのような角度まで回動リンク４２を回動させる場合は、スパウト３７の後端と固定キャップ４１の間などにリターンバネ４６を介在させ、その付勢力でスパウト３７を復帰させるようにする。
【００３２】
図６の複数吐出エヤゾール装置Ｃは本発明の範囲外であるが、各エヤゾール装置Ａ１、Ａ２のステムと連結される第１通路５１および第２通路５２同士を、開口端５３近辺で一緒にしている。そして各通路の分岐部５４よりエヤゾールバルブ側に、それぞれパイロット形式の第１バルブ５５ａおよび第２バルブ５５ｂを介在させている。さらに各バルブ５５ａ、５５ｂとエヤゾールバルブのステム５の間から第１および第２パイロット回路５６ａ、５６ｂを導出し、相手側のバルブのパイロットポート５７ｂ、５７ａに接続している。また開口端５３には常時開いているスパウトなどを設ける。なお図示していないが、この装置Ｃにおいても、両方のエヤゾールバルブを同時に操作する押しボタンやレバーなどの操作部材を設ける。
【００３３】
この装置Ｃでは、たとえば押しボタンを押し下げて両方のエヤゾールバルブを開くと、それぞれの通路５１、５２におけるバルブ５５ａ、５５ｂとステム５の間に原液などが充満し、その領域の圧力が上昇する。そのため相手側のパイロットポート５７ｂ、５７ａを付勢し、それぞれの通路５１、５２が開く。そのためそれぞれの容器本体１の原液およびプロペラントが開口端５３で混在した状態で噴出する。
【００３４】
このとき押しボタンの押し方が不充分で、片方だけ、たとえば第１エヤゾール装置Ａ１のエヤゾールバルブだけが開き、第２エヤゾール装置Ａ２のエヤゾールバルブがまだ開かない場合は、第１エヤゾールバルブ側の原液とプロペラントはエヤゾールバルブと第１バルブ５５ａの間に充満する。それにより第２エヤゾール装置側の第２バルブ５５ｂが開く。しかし第２エヤゾール装置側のエヤゾールバルブは充分に開いていないので、原液およびプロペラントが噴出しない。そのため第２エヤゾール装置側の第２通路５２およびそれと連通している第２パイロット回路５６ｂの圧力が上昇しない。そのため、第１エヤゾール装置側の第１通路５１が閉じたままである。したがって結局は両方の原液とも噴出しない。
【００３５】
そしてさらに押しボタンが押され、第２エヤゾール装置Ａ２のエヤゾールバルブが開くと、初めて第２パイロット回路５６ｂの圧力が上昇し、第１エヤゾール装置Ａ１の第１バルブ５５ａが開く。そのためあらかじめ開いていた第２エヤゾール装置Ａ２側の第２バルブ５５ｂを通って第２エヤゾール装置Ａ２の原液などが噴出すると同時に、第１エヤゾール装置Ａ１側の原液なども第１バルブ５５ａを通って噴出する。それにより両方の原液などが分岐部５４の下流側で混在しながら外部に噴出する。
【００３６】
このように図６の装置Ｃでは、いわば互いに牽制する一対のパイロット形式のバルブ５５ａ、５５ｂの作用により、片方の原液だけが噴出する事態が避けられ、確実に２液が混在した状態で噴出する。
【００３７】
この装置Ｃではそれぞれの原液の通路にパイロットバルブを設け、分岐部５４以降の共通通路には開閉機構を設けていない。そのため、共通通路を省略し、それぞれのパイロットバルブの吐出ポートに別個にスパウトを設け、外部に出してから両原液を混在させるようにすることもできる。他方、スパウト内を保護するため、所望により、各通路あるいは共通通路の開口端に、押しボタンの操作と協調して開く開閉機構を設けるようにしてもよい。また、開口端に、内圧により開弁するリリーフバルブなどを設けることもできる。
【００３８】
図７の装置Ｄは、３本のエヤゾール装置Ａ１、Ａ２、Ａ３の原液を混在状態で噴出させるものである。このものは各エヤゾール装置のエヤゾールバルブのステム５にそれぞれ通路６１の一端を連結し、先端側を共通通路６２とした上で、その共通通路６２の先端に通常のエヤゾールバルブ６３をスパウトの開閉機構として連結している。また図示していないが、３本のステム５を同時に操作する共通の押しボタンを設け、その共通の押しボタンを押した後、スパウト用のエヤゾールバルブ６３を開くような逐次作動機構を設けている。なお符号６５は、原液などが容器本体内に逆流しないようにするための逆止弁である。
【００３９】
上記の逐次作動機構としては、たとえば図１のような、バネの強度に差を設けることにより、エヤゾールバルブが先に開く機構を採用することができる。また本発明の範囲外であるが、図６と同様のパイロット形式のバルブにより実現することもできる。ただし図７の装置Ｄの場合はエヤゾール装置が３本であるので、パイロット形式のバルブを各通路に設け、他の２個のエヤゾールバルブからのパイロット圧が両方とも所定圧を超えたときに初めてそのパイロット形式のバルブが開くようにする。たとえば他の２個のエヤゾールバルブのパイロット圧をＡＮＤ回路で結合した上で、パイロット形式のバルブに接続する。
【００４０】
上記の装置Ａ〜Ｄでは、いずれも実際にエヤゾールバルブからスパウトに至る途中に開閉機構を設けているが、操作する者が一気に操作部材を操作することを慫慂する手段を設けることによっても、片方の原液だけが噴出する事態を回避することができる。本発明の装置はこの慫慂する手段を設けていることを特徴としている。そのような慫慂する手段として、たとえば操作部材の押し力に対する操作量の変化を、図８に示すように非線形にすることがあげられる。
【００４１】
図８のグラフは横軸が操作力Ｆを示しており、縦軸が操作量Ｌを示している。このグラフでは、操作の始めの段階Ｒ１では、操作力Ｆを増加させるに従って、比例的に操作量Ｌが増加していく。そして操作量が一定のレベルＬ0に達すると、操作力を増加させても操作量がほとんど増加せず、そのレベルを維持する段階Ｒ2になる。ついでさらに操作力Ｆを増加させて所定のレベルＦ0を超えると、一気に操作量Ｌが増大する（段階Ｒ3）。そして、その後は再び比例的に増大していく段階Ｒ4 に至る。
【００４２】
上記のように操作力−操作量の関係を定めた上で、第１および第２エヤゾール装置のエヤゾールバルブが開くタイミングを図８の符号Ｔ1、Ｔ2 の位置に、すなわち操作量が一気に増大する段階Ｒ3に設定しておく。そうすると、操作部材をゆっくりと押し下げていく場合でも、噴射が始まらない段階Ｒ1 では使用者は操作力を次第に強くしていき、操作量が増加しない段階Ｒ2で強く操作する。そして操作力が所定のレベルＦ0を超えると、そこから操作量が急に増加するので、自然と２個のエヤゾールバルブは同時に押し下げられることになる。したがって片方のエヤゾールバルブだけが先に開く事態が避けられる。
【００４３】
前記の操作力Ｆと操作量Ｌの関係は、両方のエヤゾールバルブの押しボタンを押し下げる共通の操作部材を、たとえばトグルリンクなどのリンク機構や、作動半径が角度によって変化する板カムなどのカム機構、あるいはそれらと同様の伝達機構を介して操作レバーなどで操作するように構成することにより、実現することができる。すなわち一般的にエヤゾールバルブのバネの付勢力と撓み量は線形的に変形するので、始めの段階Ｒ1では伝達機構の入力側と出力側の関係を一定にしておき、次の段階Ｒ2では倍力作用を作用させ、または追加の負荷を設けることにより、操作力だけが増大するようにする。そして操作量が急に増大する段階Ｒ3では、増速作用を作用させるようにする。それにより図８のグラフと近似した相対的な関係を得ることができる。
【００４４】
なお操作部材のストロークの途中に、所定の操作力を加えなければ乗り越えられない突起などの抵抗手段を設けてもよい。その場合は厳密には図８のグラフとは異なる対応関係になるが、開弁開始力にそれほど差がない場合は、抵抗手段を乗り越えるとその勢いで一気に両方のエヤゾールバルブを開弁させることができる。そのため実質的に同じ作用効果を達成することができる。
【００４５】
上記の操作力と作動量とを非線形にする手段あるいは抵抗手段に対し、図１ないし図６のスパウト開閉機構を一緒に採用することもできる。その場合は開閉機構によりエヤゾールバルブが充分に開くまでスパウトの開口側が開かないので、非線形にする手段や抵抗手段はむしろ使用者に対してエヤゾール装置の使用感を向上させる働きをする。すなわち図１の装置Ａでいえば、操作部材７の操作力は２段階で変化するので、どの程度押し下げればよいか、わかりにくい。そのためエヤゾールバルブを開く感触をできるだけ感じさせないようにして、スパウトを開く操作感を強調するようにする。それにより使用者は、操作部材を押し下げてスパウトを開く感覚、およびその状態を維持する操作力の程度がつかみやすくなる。
【図面の簡単な説明】
【図１】 本発明を適用できる複数吐出エヤゾール装置の一例を示す要部断面正面図である。
【図２】  その装置に用いるエヤゾールバルブの一実施形態を示す断面図である。
【図３】 図１の装置の組立前の状態を示す斜視図である。
【図４】 図１の要部拡大断面図である。
【図５】 本発明を適用できる複数吐出エヤゾール装置の他の例を示す要部断面側面図である。
【図６】本発明外の複数吐出エヤゾール装置の例を示す、要部を回路図とした正面図である。
【図７】本発明を適用できる複数吐出エヤゾール装置の例を示す、要部を回路図とした正面図である。
【図８】 本発明の装置の一実施形態に関わる操作力と操作量の非線形の関係を示すグラフである。
【符号の説明】
Ａ 複数吐出エヤゾール装置
Ａ１ 第１エヤゾール装置
Ａ２ 第２エヤゾール装置
１ 容器本体
２ エヤゾールバルブ
４ 操作機構
７ 操作部材
２３ 連通通路
２４ ニードル
２５ 共通通路
２９ 噴出口
３０ スパウト部
Ｂ 複数吐出エヤゾール装置
３６ ニードル
３７ スパウト
４０ 共通通路
４４ 通路
Ｃ 複数吐出エヤゾール装置
５１ 通路
５２ 通路
５３ 開口端
５５ａ パイロット形式のバルブ
５５ｂ パイロット形式のバルブ
Ｄ 複数吐出エヤゾール装置
Ａ３ エヤゾール装置
６１ 通路
６２ 共通通路
【図１】
0004005167.tif 000002
【図２】
0004005167.tif 000003
【図３】
0004005167.tif 000004
【図４】
0004005167.tif 000005
【図５】
0004005167.tif 000006
【図６】
0004005167.tif 000007
【図７】
0004005167.tif 000008
【図８】
0004005167.tif 000009